(57)【要約】【課題】表示品質を悪化させることなく薄型化を図ることが可能な表示装置用照明装置、表示装置およびテレビ受信装置を提供する。【解決手段】表示パネル１１を備えた表示装置１０に用いる表示装置用照明装置２０であって、複数の線状光源２１が並列配置され、この複数の線状光源２１の前記表示パネル１１とは反対側には、前記線状光源２１の軸線方向に対する反射率よりも前記線状光源２１の並列方向に対する反射率が相対的に大きい光学異方性を有する拡散反射部材３０が配置されている。このような構成によれば、隣り合う線状光源２１の間に反射する光の量が増えるから、表示パネル１１のうち各線状光源２１に対向する部分と、隣り合う線状光源２１の間に対向する部分との光量の差が小さくなり、輝度ムラを生じにくくすることができる。【選択図】図４
2010160994.tif 000002
【特許請求の範囲】
【請求項１】
表示パネルを備えた表示装置に用いる表示装置用照明装置であって、
複数の線状光源が並列配置され、
この複数の線状光源の前記表示パネルとは反対側には、前記線状光源の軸線方向に対する反射率よりも前記線状光源の並列方向に対する反射率が相対的に大きい光学異方性を有する拡散反射部材が配置されている表示装置用照明装置。
【請求項２】
前記拡散反射部材は、母材に光拡散粒子が混合されたものであり、
前記光拡散粒子は、前記線状光源の軸線方向に長い形状をなすとともに、その表面に、前記光拡散粒子の長手方向の曲率に比べて短手方向の曲率が大きく設定された曲面が形成されたものである請求項１に記載の表示装置用照明装置。
【請求項３】
前記光拡散粒子は、ホウ酸アルミニウムからなる請求項２に記載の表示装置用照明装置。
【請求項４】
前記光拡散粒子は、酸化チタンからなる請求項２に記載の表示装置用照明装置。
【請求項５】
前記拡散反射部材は、前記線状光源側の面に凹部または凸部からなる光拡散部が形成されたものであり、
前記光拡散部は、前記線状光源の軸線方向に長い形状をなすとともに、その表面に、前記光拡散部の長手方向の曲率に比べて短手方向の曲率が大きく設定された曲面が形成されたものである請求項１に記載の表示装置用照明装置。
【請求項６】
前記拡散反射部材は、前記線状光源側の面に凹部または凸部からなる光拡散部が形成されたものであり、
前記光拡散部は、前記線状光源の軸線方向に長い形状をなすとともに、その表面に、前記光拡散部の長手方向の稜に比べて短手方向の稜が、前記表面に対して鋭角に設定された角錐状の微細面群が形成されたものである請求項１に記載の表示装置用照明装置。
【請求項７】
前記複数の線状光源の前記表示パネル側には、前記複数の線状光源の光を拡散する光学部材が備えられている請求項１ないし請求項６のいずれか一項に記載の表示装置用照明装置。
【請求項８】
請求項１ないし請求項７のいずれか一項に記載の表示装置用照明装置と、
前記表示装置用照明装置からの光を利用して表示を行う表示パネルと、を備える表示装置。
【請求項９】
前記表示パネルが液晶を用いた液晶パネルである請求項８に記載の表示装置。
【請求項１０】
請求項８または請求項９に記載の表示装置を備えるテレビ受信装置。
【発明の詳細な説明】
【技術分野】
【０００１】
本発明は、表示装置用照明装置、表示装置およびテレビ受信装置に関する。
【背景技術】
【０００２】
例えば液晶テレビの表示装置等、自発光しない表示パネルを用いるものには、一般に、照明用の装置としてバックライト装置が備えられている（例えば特許文献１）。このバックライト装置には、複数の蛍光管が並列配置されている。
【特許文献１】特開２００７−２２６０６８公報
【発明の開示】
【発明が解決しようとする課題】
【０００３】
ところで、表示装置のさらなる薄型化を図るためには、表示パネルと蛍光管とをできるだけ近づけて配置する必要がある。しかしながら、表示パネルに蛍光管を接近させすぎると、表示パネルのうち各蛍光管に対向する部分とそうでない部分（隣り合う蛍光管の間に対向する部分）との間で光量の差が大きくなり、輝度ムラが生じて表示品質が悪くなるおそれがある。
【０００４】
このような輝度ムラは、蛍光管と表示パネルとの間に蛍光管の光を拡散させる拡散部材を配置することで、ある程度解消することができる。しかし、拡散部材の光拡散性能には限界があるため、やはり蛍光管と表示パネルとの間には十分な間隔をあける必要があり、さらなる表示装置の薄型化が困難であるという問題があった。
【０００５】
本発明は上記のような事情に基づいて完成されたものであって、表示品質を悪化させることなく薄型化を図ることが可能な表示装置用照明装置、表示装置およびテレビ受信装置を提供することを目的とする。
【課題を解決するための手段】
【０００６】
本発明の表示装置用照明装置は、表示パネルを備えた表示装置に用いる表示装置用照明装置であって、複数の線状光源が並列配置され、この複数の線状光源の前記表示パネルとは反対側には、前記線状光源の軸線方向に対する反射率よりも前記線状光源の並列方向に対する反射率が相対的に大きい光学異方性を有する拡散反射部材が配置されている。
【０００７】
このような構成によれば、隣り合う線状光源の間に反射する光の量が増えるから、表示パネルのうち各線状光源に対向する部分と、隣り合う線状光源の間に対向する部分との光量の差が小さくなり、輝度ムラを生じにくくすることができる。したがって、表示品質を悪化させることなく薄型化を図ることができる。
【０００８】
また、前記拡散反射部材は、母材に光拡散粒子が混合されたものであり、前記光拡散粒子は、前記線状光源の軸線方向に長い形状をなすとともに、その表面に、前記光拡散粒子の長手方向の曲率に比べて短手方向の曲率が大きく設定された曲面が形成されたものとしてもよい。
また、前記光拡粒子は、ホウ酸アルミニウムからなるものとしてもよい。
また、前記光拡粒子は、酸化チタンからなるものとしてもよい。
【０００９】
また、前記拡散反射部材は、前記線状光源側の面に凹部または凸部からなる光拡散部が形成されたものであり、前記光拡散部は、前記線状光源の軸線方向に長い形状をなすとともに、その表面に、前記光拡散部の長手方向の曲率に比べて短手方向の曲率が大きく設定された曲面が形成されたものとしてもよい。
また、前記拡散反射部材は、前記線状光源側の面に凹部または凸部からなる光拡散部が形成されたものであり、前記光拡散部は、前記線状光源の軸線方向に長い形状をなすとともに、その表面に、前記光拡散部の長手方向の稜に比べて短手方向の稜が、前記表面に対して鋭角に設定された角錐状の微細面群が形成されたものとしてもよい。
【００１０】
前記複数の線状光源の前記表示パネル側には、前記複数の線状光源の光を拡散する光学部材が備えられているものとしてもよい。
本発明の表示装置は、前記表示装置用照明装置と、前記表示装置用照明装置からの光を利用して表示を行う表示パネルと、を備える。
また、前記表示パネルが液晶を用いた液晶パネルであるものとしてもよい。
本発明のテレビ受信装置は、前記表示装置を備える。
【発明の効果】
【００１１】
本発明によれば、表示品質を悪化させることなく薄型化を図ることが可能な表示装置用照明装置、表示装置およびテレビ受信装置を提供することができる。
【発明を実施するための最良の形態】
【００１２】
＜実施形態１＞
以下、本発明を具体化した実施形態１について、図１〜図６を参照しつつ詳細に説明する。
本実施形態では、液晶表示装置１０（表示装置）を備えるテレビ受信装置ＴＶについて例示する。テレビ受信装置ＴＶは、図１に示すように、液晶表示装置１０と、液晶表示装置１０を表裏から挟むようにして収容するキャビネットＣａ，Ｃｂと、電源Ｐと、テレビ放送などを受信するためのチューナーＴと、スタンドＳとを備えている。液晶表示装置１０は、表示面を略垂直方向に向けた縦置き姿勢でキャビネットＣａ，Ｃｂ内に収容されている。以下、各構成部材において、図１の左下側（テレビ受信装置ＴＶの正面側、表示側）を表方、右上側を裏方とし、また上側を上方、下側を下方として説明する。
【００１３】
液晶表示装置１０は、表裏方向から見ると全体として横長な矩形状をなし、図２に示すように、画像を表示可能な液晶パネル１１（本発明の表示パネルに該当する）と、液晶パネル１１に向けて光を照射する外部光源であるバックライト装置２０（本発明の表示装置用照明装置に該当する）とを有し、これらがベゼル１２等の保持部材により一体的に保持されてなる。
【００１４】
液晶パネル１１は、横長の矩形状をなす一対の透明な（透光性を有する）ガラス製の基板と、両基板の間に介在し、電圧印加に伴って光学特性が変化する液晶層（図示せず）とを有してなる。なお、液晶パネル１１の表面および裏面には、偏光板１１Ａ，１１Ｂが貼り付けられている（図３参照）。
【００１５】
液晶パネル１１は、図２に示すように、表側に配されるベゼル１２と、裏側に配されるフレーム１３およびホルダ２６との間に周縁部を挟まれて固定されている。ベゼル１２およびフレーム１３は金属製（例えばアルミ製）であって、ベゼル１２は液晶パネル１１の周縁部に沿う（液晶パネル１１の表示領域を取り囲む）横長の枠状をなし、フレーム１３は、液晶パネル１１の周縁部のうち長手方向に延びる縁部に沿う細長い形状をなしている。ホルダ２６は、液晶パネル１１の周縁部のうち短手方向に延びる縁部に沿う細長い形状をなしている。
【００１６】
バックライト装置２０は、所謂直下型のバックライト装置２０であって、液晶パネル１１の裏面直下に備えられている。
バックライト装置２０は、表側に放電管２１（本発明の線状光源に該当する）が配置されるシャーシ２２を備えている。シャーシ２２は金属製であって、平板状をなす底板２２Ａと、底板２２Ａの周縁から表側へ立ち上がる周板２２Ｂとにより構成され、全体として表側へ開口する浅皿状をなしている。シャーシ２２の周板２２Ｂ、ベゼル１２およびフレーム１３には、図３に示すように、固定孔２３が表裏方向に貫通して形成されており、この固定孔２３に図示しないネジを挿通して締め付けることで、シャーシ２２、ベゼル１２およびフレーム１３は一体化されている。
【００１７】
底板２２Ａは、平面視すると、液晶パネル１１よりも一回り大きい横長な矩形状をなしている。底板２２Ａの長手方向の両端部には、後述する中継コネクタ２４を取り付けるための取付孔２５が複数、底板２２Ａを表裏方向に貫通して設けられている。
【００１８】
シャーシ２２の裏面には、放電管２１の駆動を制御するインバータ基板Ｂ１と、液晶パネル１１の駆動を制御するコントロール基板Ｂ２とが取り付けられている（図２参照）。インバータ基板Ｂ１は、シャーシ２２の長手方向の両端部にそれぞれ配置され、中継コネクタ２４に電気的に接続されている。また、コントロール基板Ｂ２は、シャーシ２２の長手方向の中央部に配置されている。
【００１９】
シャーシ２２の内部（底板２２Ａおよび周板２２Ｂに囲まれてなる部分）には、液晶パネル１１に向けて光を照射する放電管２１（本実施形態では冷陰極管）が複数本収容されている。放電管２１は細長い管状をなし、それぞれの軸線がシャーシ２２の長辺方向と一致する向きで、互いに一定間隔をあけて並列配置されている。放電管２１の両端部は、それぞれ中継コネクタ２４に嵌め込まれて固定され、中間部は、図示しないランプクリップ２７により把持されている。
【００２０】
中継コネクタ２４は、シャーシ２２の長手方向における両端縁部に沿って複数配置されている。中継コネクタ２４は、ホルダ２６により一括して覆われている。ホルダ２６は白色を呈する合成樹脂製であって、細長い略箱型をなしている。
【００２１】
シャーシ２２の開口（放電管２１の液晶パネル１１側）には、拡散板２８（本発明の光学部材に該当する）が配置されている（図３参照）。拡散板２８は、合成樹脂製の板状部材に光散乱粒子が分散して配合されたものであり、線状光源である放電管２１の光を拡散する機能を有している。拡散板２８は横長の矩形状をなし、その周縁部のうち長手方向に延びる両縁部は、シャーシ２２の周板２２Ｂとフレーム１３との間に挟まれて固定されている。なお、拡散板２８の周縁部のうち短手方向に延びる両縁部は、ホルダ２６の表側に載置されている。
【００２２】
また、拡散板２８の表側には、光学シート２９が備えられている。光学シート２９は、異なる機能を有するシートが複数枚積層されてなり、例えば裏側から順に、拡散シート、レンズシート、反射型偏光板とされている。光学シート２９は、拡散板２８と液晶パネル１１との間に挟まれて保持されている。
【００２３】
さて、複数の放電管２１の裏側（液晶パネル１１とは反対側）には、拡散反射シート３０（本発明の拡散反射部材に該当する）が配置されている。拡散反射シート３０は、ポリエチレンテレフタレート（ＰＥＴ）樹脂、またはポリカーボネート（ＰＣ）樹脂等からなる母材に、ホウ酸アルミニウム、または酸化チタン等からなる光拡散粒子３１が混合された光拡散性樹脂組成物である。
【００２４】
拡散反射シート３０は、シャーシ２２の底板２２Ａの表面に敷設されており、底板２２Ａの表面（内面）に沿ってその略全域を覆う横長の矩形状をなしている。拡散反射シート３０の周縁のうち長手方向に延びる両縁は、図３に示すように、シャーシ２２の周板２２Ｂの表側を覆うように立ち上がった形態をなし、シャーシ２２と拡散板２８との間に挟まれて固定されている。
【００２５】
光拡散粒子３１は、拡散反射シート３０の略全体に分散して配されている（図４参照）。各光拡散粒子３１は、放電管２１の軸線方向に沿う方向（拡散反射シート３０の長手方向）に細長い形状をなすとともに、拡散反射シート３０の面方向（シャーシ２２の底板２２Ａと略平行方向）に扁平な形状、言い換えると、面方向の幅寸法よりも面方向に直交する方向の寸法（厚さ寸法）が小さい形状をなしている（図５および図６参照）。
【００２６】
各光拡散粒子３１の短手方向に沿う方向（放電管２１の並列方向に沿う方向）の断面形状は、図５に示すように、光拡散粒子３１の短手方向に長い長円形状をなし、光拡散粒子３１の長手方向に沿う方向の断面形状は、図６に示すように、光拡散粒子３１の長手方向に長い長円形状をなしている。そして、光拡散粒子３１の表面のうち拡散反射シート３０の面方向に沿って広がる面（表裏方向に対向する面）は、緩やかな弧状をなす曲面３２とされている。この一対の曲面３２は、ともに短手方向の曲率が、長手方向の曲率に比べて大きいものとされている。
【００２７】
このような形状の光拡散粒子３１が分散されていることで、拡散反射シート３０は、放電管２１の軸線方向に対する反射率よりも放電管２１の並列方向に対する反射率が相対的に大きい（放電管２１の軸線方向よりも放電管２１の並列方向により多くの光を反射させる）光学異方性を有するものとなっている。なお、拡散反射シート３０は、略球形状の光拡散粒子を母材に混合してなる無延伸シートを、一方向（シャーシ２２に配置したときに放電管２１の軸線方向に沿う方向）に延伸することで製造されている。
【００２８】
次に、上記のように構成された実施形態１の作用および効果について説明する。
本実施形態のバックライト装置２０は、複数の放電管２１が、各放電管２１の軸線方向とは略直交方向に並列配置され、この複数の放電管２１の液晶パネル１１とは反対側には、放電管２１の軸線方向に対する反射率よりも放電管２１の並列方向に対する反射率が相対的に大きい光学異方性を有する光学異方性を有する拡散反射シート３０が配置されている。
【００２９】
これにより、従来のような等方性の反射シートを用いて放電管２１の光を液晶パネル１１側に反射させる場合に比べて、隣り合う放電管２１の間に反射する光の量を増やすことができ、液晶パネル１１のうち各放電管２１に対向する部分と、隣り合う放電管２１の間に対向する部分との間で光量の差を小さくし、輝度ムラを生じにくくすることができる。したがって、液晶パネル１１と放電管２１とを従来よりも近づけて配置しても、表示品質が悪化することを防ぐことができ、もって表示品質を悪化させることなく薄型化を図ることができる。
【００３０】
＜実施形態２＞
次に、本発明を具体化した実施形態２に係るテレビ受信装置ＴＶを図７〜図９によって説明する。
本実施形態のテレビ受信装置ＴＶは、拡散反射シート４０の表側（放電管２１側）の面に光拡散部４１を形成した点で、実施形態１とは相違する。なお、実施形態１と同様の構成には同一符号を付して重複する説明を省略する。
【００３１】
本実施形態に係るテレビ受信装置ＴＶは、実施形態１と同様に、液晶パネル１１と、液晶パネル１１に向けて光を照射するバックライト装置２０とからなる液晶表示装置１０を有している。バックライト装置２０は、実施形態１と同様に、複数の放電管２１と、放電管２１の裏側（液晶パネル１１とは反対側）に配置される拡散反射シート４０とを有し、複数の放電管２１は、各放電管２１の軸線方向とは略直交方向に並列配置されている。
【００３２】
拡散反射シート４０は、ポリエチレンテレフタレート（ＰＥＴ）樹脂、またはポリカーボネート（ＰＣ）樹脂等からなり、実施形態１と同様、シャーシ２２の底板２２Ａの表面に敷設され、底板２２Ａの表面（内面）に沿ってその略全域を覆う横長の矩形状をなしている。
【００３３】
拡散反射シート４０の表側の面には複数の光拡散部４１が形成され、全ての光拡散部４１は裏側へ凹む凹部からなり、拡散反射シート４０の表側の面の略全体に分散して形成されている。各光拡散部４１は、放電管２１の軸線方向に沿う方向（拡散反射シート４０の長手方向）に細長い形状をなすとともに、浅く凹んだ形状、言い換えると、面方向（シャーシ２２の底板２２Ａと略平行方向）の幅寸法よりも面方向に直交する方向の寸法（深さ寸法）が小さい形状をなしている（図８および図９参照）。光拡散部４１は、拡散反射シート４０の表面のうち各放電管２１に対向する部分（各放電管２１の真裏の部分）に形成されている。光拡散部４１は規則的に並べて配置され、詳しくは、放電管２１の軸線方向に沿って略一定ピッチで、また放電管２１の並列方向に沿って所定のピッチで並べられている。なお、拡散反射シート４０の表面のうち隣り合う放電管２１の間に対向する部分には光拡散部４１は形成されておらず、この部分は平坦な面とされている。
【００３４】
各光拡散部４１の短手方向に沿う方向（放電管２１の並列方向に沿う方向）の断面形状は、図８に示すように、光拡散部４１の短手方向に長い三日月状をなし、光拡散部４１の長手方向に沿う方向の断面形状は、図９に示すように、光拡散部４１の長手方向に長い三日月状をなしている。そして、光拡散部４１の表面は、実施形態１と同様、緩やかな弧状をなす曲面４２とされ、この曲面４２の曲率は、短手方向の曲率が、長手方向の曲率に比べて大きいものとされている。光拡散部４１は、拡散反射シート４０の成形型（図示せず）に、光拡散部４１の表面に沿う形状の凸部を設ける、または拡散反射シート４０の表面を削る等により成形されている。
【００３５】
このような形状の光拡散部４１が形成されていることで、拡散反射シート４０は、実施形態１と同様、放電管２１の軸線方向に対する反射率よりも放電管２１の並列方向に対する反射率が相対的に大きい光学異方性を有するものとなっている。
【００３６】
以上のように本実施形態においては、放電管２１の裏側に配置された拡散反射シート４０が、放電管２１の軸線方向に対する反射率よりも放電管２１の並列方向に対する反射率が相対的に大きい光学異方性を有しているから、実施形態１と同様、従来のような等方性の反射シートを用いて放電管２１の光を液晶パネル１１側に反射させる場合に比べて、隣り合う放電管２１の間に反射する光の量を増やすことができ、表示品質を悪化させることなく薄型化を図ることができるという効果を得られる。
【００３７】
さらに、光拡散部４１の全てが凹部からなるものであるから、拡散反射シートの表側（放電管２１側）の面に凸部からなる光拡散部を設ける場合に比べてより拡散反射シート４０を薄くすることができ、さらなる薄型化を図ることができる。
【００３８】
＜実施形態３＞
次に、本発明を具体化した実施形態３に係るテレビ受信装置ＴＶを図１０および図１１によって説明する。
本実施形態のテレビ受信装置ＴＶは、拡散反射シート５０の表側（放電管２１側）の面に光拡散部５１を形成した点で、実施形態１とは相違する。なお、実施形態１と同様の構成には同一符号を付して重複する説明を省略する。
【００３９】
本実施形態に係るテレビ受信装置ＴＶは、実施形態１と同様に、液晶パネル１１と、液晶パネル１１に向けて光を照射するバックライト装置２０とからなる液晶表示装置１０を有している。バックライト装置２０は、実施形態１と同様に、複数の放電管２１と、放電管２１の裏側（液晶パネル１１とは反対側）に配置される拡散反射シート５０とを有し、複数の放電管２１は、各放電管２１の軸線方向とは略直交方向に並列配置されている。
【００４０】
拡散反射シート５０は、ポリエチレンテレフタレート（ＰＥＴ）樹脂、またはポリカーボネート（ＰＣ）樹脂等からなり、実施形態１と同様、シャーシ２２の底板２２Ａの表面に敷設され、底板２２Ａの表面（内面）に沿ってその略全域を覆う横長の矩形状をなしている。
【００４１】
拡散反射シート５０の表側の面には複数の光拡散部５１が形成され、全ての光拡散部５１は裏側へ凹む凹部からなり、拡散反射シート５０の表側の面の略全体に分散して形成されている。各光拡散部５１は、放電管２１の軸線方向に沿う方向（拡散反射シート５０の長手方向）に細長い形状をなすとともに、浅く凹んだ形状、言い換えると、面方向（シャーシ２２の底板２２Ａと略平行方向）の幅寸法よりも面方向に直交する方向の寸法（深さ寸法）が小さい形状をなしている（図１０および図１１参照）。光拡散部５１は、拡散反射シート５０の表面のうち各放電管２１に対向する部分（各放電管２１の真裏の部分）に形成されている。光拡散部５１は規則的に並べて配置され、詳しくは、放電管２１の軸線方向に沿って略一定ピッチで、また放電管２１の並列方向に沿って所定のピッチで並べられている。なお、拡散反射シート５０の表面のうち隣り合う放電管２１の間に対向する部分には光拡散部５１は形成されておらず、この部分は平坦な面とされている。
【００４２】
各光拡散部５１の短手方向に沿う方向（放電管２１の並列方向に沿う方向）の断面形状は、図１０に示すように、光拡散部５１の短手方向に平たい三角形状をなし、光拡散部５１の長手方向に沿う方向の断面形状は、図１１に示すように、光拡散部５１の長手方向に平たい三角形状をなしている。そして、光拡散部５１は、その表面に、光拡散部５１の長手方向の稜５３に比べて短手方向の稜５４が、表面に対して鋭角に設定された角錐状の微細面５２群が形成されたものとされている。光拡散部５１は、拡散反射シート５０の成形型（図示せず）に、光拡散部５１の表面に沿う形状の凸部を設ける、または拡散反射シート５０の表面を削る等により成形されている。
【００４３】
このような形状の光拡散部５１が形成されていることで、拡散反射シート５０は、実施形態１と同様、放電管２１の軸線方向に対する反射率よりも放電管２１の並列方向に対する反射率が相対的に大きい光学異方性を有するものとなっている。
【００４４】
以上のように本実施形態においては、放電管２１の裏側に配置された拡散反射シート５０が、放電管２１の軸線方向に対する反射率よりも放電管２１の並列方向に対する反射率が相対的に大きい光学異方性を有しているから、実施形態１と同様、従来のような等方性の反射シートを用いて放電管２１の光を液晶パネル１１側に反射させる場合に比べて、隣り合う放電管２１の間に反射する光の量を増やすことができ、表示品質を悪化させることなく薄型化を図ることができるという効果を得られる。
【００４５】
さらに、光拡散部５１の全てが凹部からなるものであるから、拡散反射シートの表側（放電管２１側）の面に凸部からなる光拡散部を設ける場合に比べてより拡散反射シート５０を薄くすることができ、さらなる薄型化を図ることができる。
【００４６】
＜他の実施形態＞
本発明は上記記述及び図面によって説明した実施形態に限定されるものではなく、例えば次のような実施形態も本発明の技術的範囲に含まれる。
【００４７】
（１）上記実施形態では、拡散反射シート３０（４０）は、シャーシ２２の底板２２Ａの表面に敷設されているが、これに限らず、例えばシャーシ２２の底板２２Ａの表面に従来から知られている等方性の反射シートを配置し、その表面に拡散反射シートを配置するようにしてもよい。
【００４８】
（２）実施形態２および実施形態３では、全ての光拡散部４１（５１）は、凹部からなる光拡散部４１（５１）とされているが、これに限らず、全ての光拡散部を凸部からなる光拡散部としてもよく、また一の拡散反射シートに、凹部からなる光拡散部と凸部からなる光拡散部とを混合して形成してもよい。
（３）実施形態２および実施形態３では、光拡散部４１（５１）は規則的に並べて配置されているが、これに限らず、光拡散部はランダムに配置されていてもよい。
【図面の簡単な説明】
【００４９】
【図１】実施形態１にかかるテレビ受信装置の概略を示す分解斜視図
【図２】液晶表示装置の概略を示す分解斜視図
【図３】液晶表示装置の概略を示す断面図
【図４】拡散反射シートの光拡散粒子と並列配置された放電管とを示す概念図
【図５】光拡散粒子の短手方向に沿う方向の断面形状を示す概念図
【図６】光拡散粒子の長手方向に沿う方向の断面形状を示す概念図
【図７】実施形態２にかかる拡散反射シートの光拡散部と並列配置された放電管とを示す概念図
【図８】光拡散部の短手方向に沿う方向の断面形状を示す概念図
【図９】光拡散部の長手方向に沿う方向の断面形状を示す概念図
【図１０】実施形態３にかかる光拡散部の短手方向に沿う方向の断面形状を示す概念図
【図１１】光拡散部の長手方向に沿う方向の断面形状を示す概念図
【符号の説明】
【００５０】
ＴＶ…テレビ受信装置
１０…液晶表示装置（表示装置）
１１…液晶パネル（表示パネル）
２０…バックライト装置（表示装置用照明装置）
２１…放電管（線状光源）
２８…拡散板（光学部材）
３０，４０，５０…拡散反射シート（拡散反射部材）
３１…光拡散粒子
３２，４２…曲面
４１，５１…光拡散部
５２…微細面
５３…長手方向の稜
５４…短手方向の稜
【図１】
2010160994.tif 000003
【図２】
2010160994.tif 000004
【図３】
2010160994.tif 000005
【図４】
2010160994.tif 000006
【図５】
2010160994.tif 000007
【図６】
2010160994.tif 000008
【図７】
2010160994.tif 000009
【図８】
2010160994.tif 000010
【図９】
2010160994.tif 000011
【図１０】
2010160994.tif 000012
【図１１】
2010160994.tif 000013